(57)【要約】    【課題】  スペースが有効に活用できるとともに使い勝手の良好な収納装置を提供する。    【解決手段】靴、サンダルなど履き物を収納するとともに履き物出し入れのための開口部を有する収納部と、この収納部内に配されて履き物を載置しうる横長で複数の棚板と、この棚板を上下に間隔を隔てて支持する支持手段とを具え、前記支持手段は、間隔を隔てて向合う一対の上のスプロケットと、上のスプロケットの下方で向合う一対の下のスプロケットと、上、下のスプロケット間に巻き掛けられた一対の無端チェーンとを有し、前記棚板は、その両端部が前記一対の無端チェーンに各々支持されることにより、上昇、下降を繰返すとともに開口部に対面する前部と開口部から離れた奥部とを循環することを特徴とする。【選択図】  図２
2006094994.tif 000002
【特許請求の範囲】
【請求項１】
靴、サンダルなど履き物を収納するとともに履き物出し入れのための開口部を有する収納部と、この収納部内に配されて履き物を載置しうる横長で複数の棚板と、この棚板を上下に間隔を隔てて支持する支持手段とを具え、
前記支持手段は、間隔を隔てて向合う一対の上のスプロケットと、上のスプロケットの下方で向合う一対の下のスプロケットと、上、下のスプロケット間に巻き掛けられた一対の無端チェーンとを有し、
前記棚板は、その両端部が前記一対の無端チェーンに各々支持されることにより、上昇、下降を繰返すとともに開口部に対面する前部と開口部から離れた奥部とを循環することを特徴とする収納装置。
【請求項２】
前記支持手段は、駆動部を有し、
前記一対の下のスプロケットは、水平に軸支された回転軸に相対回転不能に取付られるとともに、この回転軸は前記駆動部により回転駆動されることを特徴とする請求項１記載の収納装置。
【請求項３】
前記棚板は、両端で立ち上がる一対の吊部を設けるとともに、この吊部の上部に一端が枢着されてＶ字状をなす同長で２本の支持棒の他端を、前記無端チェーンの異なるピンに軸着させることにより無端チェーンに支持され、
前記無端チェーンは、上、下のスプロケット間において、縦長で一対の保持体に挟まれることにより両側を支持されることを特徴とする請求項１又は２記載の収納装置。
【請求項４】
前記棚板は、少なくとも一方端部に側方に向け突出する凸部を設け、
この凸部は、棚板の側方で該凸部に対面して縦にのびる横断面コ字状のガイド部に案内され上下に移動することを特徴とする請求項１〜３のいずれかに記載の収納装置。
【請求項５】
前記収納部は、天井面の上方に延長して形成され、
前記棚板は天井上方領域を含めて上下移動することを特徴とする請求項１〜４のいずれかに記載の収納装置。
【発明の詳細な説明】
【技術分野】
【０００１】
本発明は、玄関、勝手口等に設置され、靴、サンダルその他の履き物を効率的に収納しうる収納装置に関する。
【背景技術】
【０００２】
季節、用途による種類、家族増加などから履き物の数量が年々増える反面、収納スペースは制限があるため、収納装置に収容できない履き物が玄関土間に放置され、外観を損なうとともに玄関における出入りの邪魔になっている。
【０００３】
そこで、限られた空間にできるだけ大きな収納量を確保するため、図５に示すように、収納体ａ内で、上下のレールｂ、ｄ間に支持され、横方向に回転可能な回転収納棚ｅを設けた玄関収納装置が提案されている（例えば、特許文献１参照）。
【０００４】
【特許文献１】特開平１０−１６５２３６号公報
【発明の開示】
【発明が解決しようとする課題】
【０００５】
前記玄関収納装置では、出し入れする時必要な履き物を手前に引寄せるため、上下に複数の棚板を設けた回転収納棚ｅを横方向に回動させる必要がある。その結果棚板が支障なく回動するためには奥行き方向に広い空間を必要とし、実際の収納に使用されないデッドスペースが発生するため、収納効率を低下させる問題がある。
【０００６】
また、上段の棚板に収納される履き物は、特に背の低い子供では手が届かないため、脚立などに登って出し入れすることになり、足を踏み外すなどの危険がある。また大人においても使い勝手が悪く、高い位置に収納された履き物は確認しにくい。
【０００７】
本発明は、棚板の両端部が前記一対の無端チェーンに各々支持されることにより、上昇、下降を繰返すとともに開口部に対面する前部と開口部から離れた奥部とを循環することを基本とし、スペースを有効に活用できるとともに使い勝手の良好な収納装置の提供を課題としている。
【課題を解決するための手段】
【０００８】
前記目的を達成するために、請求項１に係る発明は、靴、サンダルなど履き物を収納するとともに履き物出し入れのための開口部を有する収納部と、この収納部内に配されて履き物を載置しうる横長で複数の棚板と、この棚板を上下に間隔を隔てて支持する支持手段とを具え、前記支持手段は、間隔を隔てて向合う一対の上のスプロケットと、上のスプロケットの下方で向合う一対の下のスプロケットと、上、下のスプロケット間に巻き掛けられた一対の無端チェーンとを有し、前記棚板は、その両端部が前記一対の無端チェーンに各々支持されることにより、上昇、下降を繰返すとともに開口部に対面する前部と開口部から離れた奥部とを循環することを特徴とする。
【０００９】
請求項２に係る発明では、前記支持手段は、駆動部を有し、前記一対の下のスプロケットは、水平に軸支された回転軸に相対回転不能に取付られるとともに、この回転軸は前記駆動部により回転駆動され、また請求項３に係る発明において、前記棚板は、両端で立ち上がる一対の吊部を設けるとともに、この吊部の上部に一端が枢着されてＶ字状をなす同長で２本の支持棒の他端を、前記無端チェーンの異なるピンに軸着させることにより無端チェーンに支持され、前記無端チェーンは、上、下のスプロケット間において、縦長で一対の保持体に挟まれることにより両側を支持される。
【００１０】
請求項４に係る発明では、前記棚板は、少なくとも一方端部に側方に向け突出する凸部を設け、この凸部は、棚板の側方で該凸部に対面して縦にのびる横断面コ字状のガイド部に案内され上下に移動し、また請求項５に係る発明において、前記収納部は、天井面の上方に延長して形成され、前記棚板は天井上方領域を含めて上下移動することを特徴とする。
【発明の効果】
【００１１】
請求項１に係る発明は、棚板は、その両端部が前記一対の無端チェーンに各々支持されることにより、上昇、下降を繰返すとともに開口部に対面する前部と開口部から離れた奥部とを循環するため、隙間なくスペースが活用され、履き物を多く収納できるとともに身長に見合う高さで楽に出し入れしうる。
【００１２】
請求項２に係る発明のように支持手段に駆動部を設けると、力を必要とすることなく棚板を上下移動でき、また請求項３に係る発明のように構成した場合、無端チェーンと２本の支持棒とで構成する三角構造により棚板を確り支持できるとともに、前記支持棒から無端チェーンに負荷する力を保持体が支えるため棚板がスムースに循環しうる。
【００１３】
請求項４に係る発明のように、棚板の凸部をガイド部で案内すると循環動作による棚板の揺動を防止して履き物の出し入れが容易であるとともに履き物の落下を防止でき、また請求項５に係る発明のように構成すると、デッドスペースを活用して履き物の収納量を更に増加できる。
【発明を実施するための最良の形態】
【００１４】
以下、本発明の実施の一形態を、図示例とともに説明する。図１に示すように、収納装置１は、靴、サンダルなど履き物２を収納する収納部３と、この収納部３内に配された複数の棚板４と、この棚板４を支持する支持手段５とを具える。
【００１５】
前記収納部３は、住宅、オフィス、医院その他建物の玄関、勝手口などに設けられ、前記履き物２、および傘、靴クリーム、ブラシその他小物類も一緒に収納される。本形態の収納部３は、前板２１、上板２２、側板２３及び後部が壁Ｗで囲まれた矩形箱状をなし、壁Ｗと一体化したノックダウン方式のものを例示するが、工場で箱状に組立てるユニット方式のものでもよい。本形態の収納部３は、土間２４上に配置され、その上部は天井１６の上方にまでのび、天井裏の収納部３Ａを形成している。また収納部３の一部又は全部を、玄関、勝手口の床上に配置することもできる。
【００１６】
収納部３の前板２１に、履き物２出し入れのための開口部１７を設ける。この開口部１７は、土間２４から３０〜１８０ｃｍ程度の出し入れし易い高さの範囲に形成される。本形態では、開口部１７を開閉する両開き扉３０を取付けるが、引き違い戸、折れ戸を設けてもよい。
【００１７】
前記支持手段５は、前記収納部３の内部に配置され、スプロケット６と無端チェーン７とを有する。スプロケット６は、上のスプロケット６Ｕと下のスプロケット６Ｄとからなる。前記上のスプロケット６Ｕは、収納部３上位に配されかつ同高さで左右に離れて向合う一対の上のスプロケット６Ｕ、６Ｕにより構成される。また本形態の上のスプロケット６Ｕは、図２に示すように、前記天井裏の収納部３Ａに配され、前記左右の側板２３、２３の上部から各々内方に突設した片持状の支軸２５、２５先端部に回転可能に軸着される。
【００１８】
前記下のスプロケット６Ｄは、上のスプロケット６Ｕ、６Ｕの下方に各々配され同高さで左右に離れて向合う一対の下のスプロケット６Ｄ、６Ｄにより構成される。また本形態の下のスプロケット６Ｄは、左右の側板２３、２３の下部間に水平に軸支した回転軸９に相対回転不能に取付けられる。
【００１９】
支持手段５は、本形態では駆動部８を具える。この駆動部８は図３のように、据付台２６上に固定されたモーターＭにより構成される、該モーターＭは、伝道ベルト２７を介し回転軸９を回転駆動する。従って回転軸９に取付けられた下のスプロケット６Ｄ、６Ｄは、駆動部８によって回転する。
【００２０】
前記モーターＭは、図示されない収納部３の前板２１に取付けたスイッチ（図示せず）により入切操作される。さらに、回転速度調整、正転逆転切替え、規定負荷超過時の非常停止その他の駆動制御手段を設けることもできる。
【００２１】
前記無端チェーン７は、図２に示すように、収納部３内で左右に形成された上、下のスプロケット６Ｕ、６Ｄ間に、各々緩みなく巻き掛けられる。その結果、駆動部８に基づく下のスプロケット６Ｄの回転力により、左右の無端チェーン７、７は上、下のスプロケット６Ｕ、６Ｄ間を同速度で循環する。本形態の無端チェーン７は図４に示すように、交互に配されたローラリンク７Ａとピンリンク７Ｃとをピン１２により回転自在に軸着するとともにピン１２にローラ７Ｂを外挿して形成された一般のローラチェーンを用いて構成される。
【００２２】
また前記無端チェーン７は、図３、４に示すように、上、下のスプロケット６Ｕ、６Ｄ間を縦にのびる区間において、無端チェーン７の両側で、そのローラ７Ｂに摺接する方向に配された一対の保持体１３、１３に挟まれる。該保持体１３は、断面矩形状の縦の長尺材からなり、無端チェーン７を構成するローラリンク７Ａのリンクプレート７Ａ１、７Ａ１の間隔よりも少し狭い幅を有し、前記リンクプレート７Ａ１、７Ａ１間でローラ７Ｂに両側から摺接して、無端チェーン７を支持する。なお前記保持体１３は、図示されないブラケットを介して前記側板２３に固着される。
【００２３】
前記棚板４は、複数の履き物２を横に並べ載置できるように横長板状をなし、図２、４に示すように前記左右の無端チェーン７、７間に配される。そして棚板４は、本形態では基板４Ａと、この基板４Ａ後部で上に折曲がった後立上部４Ｂと、両側部で上に折曲がった横立上部４Ｄ、４Ｄとを含み構成したものを例示している。また棚板４の両端部には、前記横立上部４Ｄの略中央が上に延びた吊部１０を設ける。更に、前記横立上部４Ｄの前寄り外側に、側方に向け突出するピボット１４Ａと、このピボット１４Ａに軸着されたローラ１４Ｂとからなる凸部１４が形成される。
【００２４】
前記棚板４は、その左右長さが例えば５０〜１５０ｃｍ程度、奥行きは例えば２５〜４０ｃｍ程度に形成される。また棚板４は、溶融亜鉛メッキ鋼板、カラー鋼板その他の鋼板を用いた金属プレス成形、ポリエチレン樹脂、ポリプロピレン樹脂、ＡＢＳ樹脂などを用いた射出成形、杉、松、ＭＤＦその他の木質材料により形成される。
【００２５】
前記棚板４は、履き物２を載置するため、上下に例えば２５〜６０ｃｍ程度の間隔を隔てて配置され、その両端部が無端チェーン７、７に各々支持される。本形態では、棚板４の吊部１０の上部に、一端部が枢着された同長さの２本の支持棒１１、１１の他端部を、無端チェーン７の上下に隔たるピン１２、１２に軸着することにより、Ｖ字状をなす２本の支持棒１１、１１を介して棚板４両端部が各々無端チェーン７、７に支持される。そのため無端チェーン７と２本の支持棒１１、１１とで構成される３角形構造体により棚板４を安定して支持できる点で好ましい。
【００２６】
このように構成された棚板４は、無端チェーン７の前記循環に連動し、開口部１７に対面する収納部３の前部３Ｆ、又は壁Ｗに沿う収納部３の奥部３Ｂの一方で上昇し、他方で下降して循環する。また前記モーターＭの逆転により、前部３Ｆ、奥部３Ｂでの上昇、下降を交替して循環させることができる。従って、前記前部３Ｆにおいて開口部１７に臨む位置で棚板４上の履き物２を出し入れするとともに棚板４を循環させることにより、収納部３内全体を隙間なく活用でき、季節毎に前部３Ｆと奥部３Ｂとを使い分けるなど便利に使用できる。また背丈に応じた高さに棚板４を昇降させ、履き物２の出し入れを楽に行える。
【００２７】
また前記の如く本形態では、上のスプロケット６Ｕが天井裏の収納部３Ａに配置されるため、棚板４は、図２に示すように天井１６の上方領域を含めて上下移動する。その結果、デッドスペースである天井裏を活用でき、収納量を増加しうる。
【００２８】
また無端チェーン７は、前記の如くその両側の保持体１３、１３で挟まれるため、棚板４、履き物２の荷重により無端チェーン７に掛かる負荷は無端チェーン７のローラ７Ｂに摺接する保持体１３によって支持され、その結果無端チェーン７はスムースに循環しうる。
【００２９】
また本形態では、図３、４に示すように、前記前部３Ｆに位置する棚板４の側方で前記凸部１４に対面する縦長で横断面コ字状のガイド部１５を設ける。そして前記棚板４の凸部１４は該ガイド部１５内に挿入されて、これに沿って上下動する。その結果、前記の如く吊部１０の上部を支持軸１１、１１に軸着することにより無端チェーン７、７に吊下げ支持した棚板４の揺動を阻止し、履き物２の落下を防ぐとともに履き物２出し入れを容易とする。本形態のガイド部１５は、前部３Ｆに位置する棚板４に対してのみ設けているが、奥部３Ｂにも形成してもよい。
【００３０】
本形態では、ガイド部１５の上下端に、図３に示すように、斜め後方に拡開し凸部１４をコ字内に導くための誘導部２９を設ける。この誘導部２９は、凸部１４とガイド部１５の上、下端との引っ掛かりを防止し、これにより棚板４がスムースに循環しうる点で好ましい。
【図面の簡単な説明】
【００３１】
【図１】本発明の一実施の形態を例示する斜視図である。
【図２】その要部を示す斜視図である。
【図３】その側面図である。
【図４】その要部斜視図である。
【図５】従来例を示す正面図である。
【符号の説明】
【００３２】
１      収納装置
２      履き物
３      収納部
３Ｆ    前部
３Ｂ    奥部
４      棚板
５      支持手段
６Ｕ    上のスプロケット
６Ｄ    下のスプロケット
７      無端チェーン
８      駆動部
９      回転軸
１０      吊部
１１      支持棒
１２      ピン
１３      保持体
１４      凸部
１５      ガイド部
１６      天井
１７      開口部
【図１】
2006094994.tif 000003
【図２】
2006094994.tif 000004
【図３】
2006094994.tif 000005
【図４】
2006094994.tif 000006
【図５】
2006094994.tif 000007